(57)【特許請求の範囲】
【請求項１】
アクセスポートに着脱自在に固定されるのに適したバルブデバイスであって、
開構成または閉構成となるように選択的に動作可能である１つまたは複数のバルブと、
少なくとも第１および第２の固定部材を備えるクリップであって、前記固定部材が、前記バルブデバイスを前記アクセスポートに着脱自在に固定するために前記アクセスポートと機械的に協働するように構成されたクリップと、を備え、
前記固定部材の各々が１つまたは複数のリムを備え、前記１つまたは複数のリムが、それぞれの固定部材の表面から突出し、前記それぞれの固定部材の長さの少なくとも一部分に沿って延在し、前記１つまたは複数のリムの各々が前記バルブデバイスに向かう方向に向きを変える表面を有し、その結果、前記リムの前記表面と機械的に協働するツールが、前記バルブデバイスに向かう方向に移動して、前記第１および第２の固定部材を互いに離すように湾曲させ、それにより前記アクセスポートから前記バルブデバイスを取り外すことが可能である、バルブデバイス。
【請求項２】
前記バルブデバイスが前記１つまたは複数のバルブを収容するハウジングを備え、各固定部材が、前記ハウジングに固定される第１の端部と、第２の自由端部とを有し、
各リムが、前記固定部材の前記第１の端部から前記固定部材の前記第２の端部へ向かう方向において前記ハウジングの方を向く方向に前記リムの前記表面が向きを変えるように構成される請求項１に記載のバルブデバイス。
【請求項３】
前記固定部材の各々が、前記固定部材の前記第２の自由端部のところに位置する突出部を備え、前記突出部が前記アクセスポート上に設けられた凹部内に受け入れられて、前記バルブデバイスを前記アクセスポートに着脱自在に固定可能である、請求項２に記載のバルブデバイス。
【請求項４】
各固定部材が、ツールのクリップと機械的に協働することができる隆起部を備え、その結果、前記ツールが前記固定部材のところで前記バルブデバイスを保持することができる、請求項１に記載のバルブデバイス。
【請求項５】
バルブデバイスを取り外すための取り外しツールであって、
前記バルブデバイスは、開構成または閉構成となるように選択的に動作可能である１つまたは複数のバルブと、少なくとも第１および第２の固定部材を備えるクリップとを備え、前記固定部材が、前記バルブデバイスを前記アクセスポートに着脱自在に固定するために前記アクセスポートと機械的に協働するように構成され、前記固定部材の各々が１つまたは複数のリムを備え、前記１つまたは複数のリムの各々が前記バルブデバイスに向かう方向に向きを変える表面を有し、その結果、ツールが、前記アクセスポートから前記バルブデバイスから取り外すために前記リムの前記表面と機械的に協働することができ、
前記バルブデバイスがアクセスポートから前記アクセスポートに着脱自在に固定され、
前記取り外しツールが、
前記バルブデバイスの前記それぞれの固定部材上に設けられた前記リムの前記表面に当接されるように各々が構成可能な少なくとも２つの要素であって、前記バルブデバイスの方に前記取り外しツールが前進するときに前記それぞれの固定部材の前記リムの前記表面に沿って前記要素の各々が移動するように前記取り外しツール内で固定され、その結果、前記第１および第２の固定部材が互いに離れるように湾曲させられ、前記バルブデバイスが前記アクセスポートから取り外されることが可能になる、少なくとも２つの要素と、
前記アクセスポートから前記バルブデバイスが取り外された後で前記バルブデバイスを保持し、その結果、前記要素によって前記バルブデバイスが前記アクセスポートから取り外された後で前記バルブデバイスが前記取り外しツールに固定されるように構成された固定クリップとを備える、取り外しツール。
【請求項６】
前記固定クリップが、前記取り外しツールを前記バルブデバイスの方に前進させることにより前記要素を使用して前記第１および第２の固定部材を互いに離すように湾曲させることで前記固定部材が前記固定クリップ内でクリップ留めされるように移動するように配置され、その結果、前記固定クリップが前記固定部材のところで前記バルブデバイスを保持する、請求項５に記載の取り外しツール。
【請求項７】
前記要素が互いに反対側に配置され、前記要素の外側表面の間の距離が、前記バルブデバイスの前記固定部材上に設けられたリムの前記表面の間の最も短い距離より大きい、請求項５に記載の取り外しツール。
【請求項８】
前記固定クリップが互いに反対側に配置された第１の部材および第２の部材を備え、前記第１および第２の部材の各々が、前記バルブデバイスのそれぞれの固定部材上に設けられた隆起部と機械的に協働することができる突出部を備え、それにより前記バルブデバイスを保持する、請求項５に記載の取り外しツール。
【請求項９】
前記第１の部材と前記第２の部材との間の距離が、前記取り外しツールを前記バルブデバイスの方に前進させることにより前記要素を使用して前記バルブデバイスの前記第１および第２の固定部材を互いに離れるように湾曲させることで、第１の固定部材が、前記第１の部材上の前記突出部を、前記第１の固定部材上に設けられた隆起部と機械的に協働させるように、移動させられ、前記第２の固定部材が、前記第２の部材上の前記突出部を、前記第２の固定部材上に設けられた隆起部と機械的に協働させるように、移動させられ、その結果、前記固定クリップがその固定部材のところで前記バルブデバイスを保持するような距離である、請求項８に記載の取り外しツール。
【請求項１０】
前記取り外しツールが、前記固定クリップによって保持されるバルブデバイスに摩擦係合可能な少なくとも２つの突出するプラットフォームをさらに備える、請求項５に記載の取り外しツール。
【請求項１１】
バルブデバイスをアクセスポート内に設置するための設置ツールであって、
前記バルブデバイスが、開構成または閉構成となるように選択的に動作可能である１つまたは複数のバルブと、少なくとも第１および第２の固定部材を備えるクリップとを備え、前記固定部材が、前記バルブデバイスを前記アクセスポートに着脱自在に固定するために前記アクセスポートと機械的に協働するように構成され、前記固定部材の各々が１つまたは複数のリムを備え、前記１つまたは複数のリムの各々が前記バルブデバイスに向かう方向に向きを変える表面を有し、その結果、ツールが、前記アクセスポートから前記バルブデバイスを取り外すために前記リムの前記表面と機械的に協働することができ、
前記設置ツールが、バルブデバイスを受け入れるのに適した、前記設置ツールのボディ内に画定されるキャビティと、
バルブデバイスの前記第１および第２の固定部材を互いに離すように湾曲させるときにのみ前記キャビティ内に配置された前記固定部材をクリップ留めし、それにより、前記第１および第２の固定部材を互いに離すように湾曲させるときにのみ前記キャビティ内で前記バルブデバイスを保持することができる保持クリップとを備える、設置ツール。
【請求項１２】
前記保持クリップが第１の部材および第２の部材を備え、前記第１および第２の部材の各々が、前記バルブデバイスの前記第１および第２の固定部材を互いに離すように湾曲させるときにのみ、それぞれの固定部材上に設けられた隆起部を摩擦により握持することができる突出部を備え、その結果、前記固定部材が前記保持クリップ内でクリップ留めされる、請求項１１に記載の設置ツール。
【請求項１３】
前記第１の部材と前記第２の部材との間の距離が、前記第１および第２の固定部材が互いに離れるように湾曲するときにのみ前記固定部材が前記保持クリップ内でクリップ留めされるような距離である、請求項１２に記載の設置ツール。
【請求項１４】
前記第１の部材および前記第２の部材が、突出部とそれぞれの隆起部との間の摩擦力が、湾曲した前記固定部材の反動力より小さくなるように構成され、その結果、前記バルブデバイスが、着脱自在に固定されることになる前記アクセスポート上の位置まで移動したときに、前記固定部材がそれらの湾曲位置から後退し、前記バルブデバイスを前記保持クリップから解放する、請求項１２に記載の設置ツール。
【請求項１５】
前記設置ツールの前記キャビティ内でバルブデバイスを摩擦により保持する１つまたは複数の突出するプラットフォームをさらに備える、請求項１１に記載の設置ツール。
【請求項１６】
開構成または閉構成となるように選択的に動作可能である１つまたは複数のバルブと、少なくとも第１および第２の固定部材を備えるクリップとを備え、前記固定部材が、前記バルブデバイスを前記アクセスポートに着脱自在に固定するために前記アクセスポートと機械的に協働するように構成され、前記固定部材の各々が１つまたは複数のリムを備え、前記１つまたは複数のリムの各々が前記バルブデバイスに向かう方向に向きを変える表面を有し、その結果、ツールが、前記アクセスポートから前記バルブデバイスから取り外すために前記リムの前記表面と機械的に協働することができるバルブデバイスと、
前記バルブデバイスを受け入れるのに適した、前記設置ツールのボディ内に画定されるキャビティと、前記バルブデバイスの前記第１および第２の固定部材を互いに離すように湾曲させるときにのみ前記キャビティ内に配置された前記固定部材をクリップ留めし、それにより、前記第１および第２の固定部材を互いに離すように湾曲させるときにのみ前記キャビティ内で前記バルブデバイスを保持することができる保持クリップと、を備える設置ツールと、を備え、
前記バルブデバイスが前記設置ツールの前記キャビティ内に位置する、組立体。
【発明の詳細な説明】
【技術分野】
【０００１】
本発明は、バルブデバイスと、アクセスポートからバルブデバイスを取り外すのに使用され得る対応する取り外しツールと、バルブデバイスをアクセスポートに設置するのに使用され得る対応する設置ツールとに関する。さらには、上記ツールが協働することができるようなバルブデバイスが提供される。
【背景技術】
【０００２】
特許文献１に記載されるようなアクセスポートは、定期的な交換を通常必要とするバルブデバイスを含む。これらのバルブデバイスを取り外すことは難しく、高い技能を必要とする。また、これらのバルブデバイスを取り外すことは、失血または患者の血液系（ｂｌｏｏｄ  ｓｙｓｔｅｍ）への空気吸入のために、危険である可能性がある。加えて、新しい交換品のバルブデバイスをアクセスポート上に配置することもやはり難しく、高い技能を必要とする。
【先行技術文献】
【特許文献】
【０００３】
【特許文献１】国際公開第２０１１／１５０９７８号
【発明の概要】
【発明が解決しようとする課題】
【０００４】
本発明の目的は、上で言及した問題の少なくとも一部を軽減または解消することである。
【課題を解決するための手段】
【０００５】
本発明の第１の態様によれば、アクセスポートに着脱自在に固定されるのに適したバルブデバイスが提供され、バルブデバイスが、開構成または閉構成となるように選択的に動作可能である１つまたは複数のバルブと、少なくとも第１および第２の固定部材を備えるクリップであって、これらの固定部材が、バルブデバイスをアクセスポートに着脱自在に固定するためにアクセスポートと機械的に協働するように構成可能である、クリップと、を備え、固定部材の各々が１つまたは複数のリムを備え、これらの１つまたは複数のリムの各々がバルブデバイスに向かう方向に向きを変える表面を有し、その結果、ツールが、アクセスポートからバルブデバイスを取り外すためにリムの上記表面と機械的に協働することができる。
【０００６】
好適には、１つまたは複数のリムの各々が、固定部材上に設けられた突出部によって画定される。突出部が細長い突出部であってよい。
【０００７】
好適には、固定部材が、バルブデバイスをアクセスポートに着脱自在に固定するためにアクセスポート上にスナップ嵌合され得るように構成される。
【０００８】
アクセスポートは特許文献１に記載されるアクセスポートであってよい。
【０００９】
各固定部材が２つのリムを備えることができ、２つのリムの各々が各固定部材の反対側に設けられ、各リムがバルブデバイスの方に向きを変える表面を有する。
【００１０】
バルブデバイスが１つまたは複数のバルブを収容するハウジングを備えることができ、各固定部材が、ハウジングに固定される第１の端部と、第２の自由端部とを有し、各リムが、固定部材の第１の端部から固定部材の第２の端部へ向かう方向においてハウジングの方を向く方向に向きを変える表面を有するように構成される。
【００１１】
各リムが、リムを備える固定部材から突出部が突出する方向に対して上記表面を実質的に垂直になるように構成され得る。
【００１２】
固定部材の各々が一方の端部のところに突出部を備えることができ、この突出部がアクセスポート内に設けられた凹部内に受け入れられて、バルブデバイスをアクセスポートに着脱自在に固定可能である。
【００１３】
各リムの厚さが固定部材に沿って増大してよい。好適には、各リムの厚さが、突出部を備える固定部材の端部のところで最大である。したがって、言い換えると、好適には、リムの厚さが固定部材の第１の端部から固定部材の第２の端部まで増大する。
【００１４】
各固定部材が、固定部材が湾曲するのを可能にする可撓性材料を含むことができる。好適には、可撓性部材が、ハウジングから離れる方向に固定部材が湾曲するのを可能にすることになる。固定部材の可撓性材料は、バルブデバイスをアクセスポートに着脱自在に固定するためにバルブデバイスをアクセスポート上にスナップ嵌合するのを可能にする。好適には、固定部材上の突出部がアクセスポート上の保持リップの上に押し込まれるときに、固定部材が湾曲する。その理由は、固定部材上の突出部がアクセスポート上の保持リップの上に押し込まれるとき、固定部材上の突出部が、アクセスポート上に設けられた対応する凹部内に受け入れられ、その湾曲位置から反動し、それによりバルブデバイスをアクセスポートにスナップ嵌合するからである。
【００１５】
バルブデバイスをアクセスポートに着脱自在に固定するために突出部が対応する凹部内に受け入れられる必要がないことを理解されたい。その理由は、単純に、固定部材上の突出部がアクセスポート上の保持リップの上を摺動することによりバルブデバイスがアクセスポートにスナップ嵌合され得るからである。この事例では、アクセスポート上の保持リップが、アクセスポートおよび突出部の上で、バルブデバイスを維持する。同様に、バルブデバイスをアクセスポートに着脱自在に固定するのにアクセスポート上の保持リップも必要ではないことを理解されたい。その理由は、単純に、固定部材上の突出部がアクセスポート上に設けられた対応する凹部内に受け入れられることによりバルブデバイスがアクセスポートにスナップ嵌合され得るからである。
【００１６】
固定部材の各々がツールのクリップと機械的に協働することができる隆起部を備えることができ、その結果、そのツールが固定部材のところでバルブデバイスを保持することができる。好適には、固定部材の各々が、結果としてツールが固定部材のところでバルブデバイスを保持することができるようになりそれによりバルブデバイスがツール内で固定されるように、ツールのクリップと機械的に協働することができる隆起部を備える。隆起部が摩擦によりツールのクリップと機械的に協働することができる。好適には、各固定部材上の隆起部が、結果として固定部材のところでツールがバルブデバイスを保持することができるようになるように固定部材をツールのクリップ内でスナップ嵌合するのを可能にする突出部を備える。好適には、各隆起部上に設けられた突出部が細長い突出部である。好適には、各隆起部が、ハウジングから離れる方向にそれぞれの固定部材が湾曲しているときにのみ、ツールのクリップと機械的に協働することができるように構成される。
【００１７】
固定部材がバルブデバイス上で対称に構成され得る。好適には、第１および第２の固定部材がバルブデバイスの反対側に配置される。第１および第２の固定部材が、好適には、ハウジングの反対側にところに取り付けられる。好適には、バルブデバイスが、流体が流入および流出するのを可能にする２つのバルブを備える。
【００１８】
バルブデバイスが、患者から流体を取り除くためにおよび／または患者へ流体を戻すためにアクセスポートに着脱自在に固定されるように適合され得、ここでは、バルブデバイスの第１のバルブが、流体を患者まで運搬することができる第１の導管（ｃｏｎｄｕｉｔ）に接続され、バルブデバイスの第２のバルブが、患者から流体を運搬することができる第２の導管に接続される。それぞれのバルブがその開構成にあるとき、アクセスポートと患者との間を流体連通させるのを可能にし、それぞれのバルブがその閉構成にあるとき、アクセスポートと患者との間の流体連通を遮断する。好適には、バルブデバイスが２つのバルブを備え、一方のバルブが、流体を患者まで運搬する導管と協働し、もう一方のバルブが患者から流体を運搬する導管と協働する。
【００１９】
本発明の別の態様によれば、アクセスポートに着脱自在に固定された上で言及したバルブのうちの任意の１つのバルブによるバルブデバイスを取り外すための取り外しツールが提供され、この取り外しツールは、バルブデバイスのそれぞれの固定部材上に設けられたリムの上記表面に当接されるように各々が構成可能な少なくとも２つの要素であって、これらの要素の各々が、取り外しツールがバルブデバイスの方に前進するときにそれぞれの固定部材のリムのそれぞれの表面に沿って移動するように、これらの要素が取り外しツール内で固定され、その結果、固定部材が離れるように移動させられ、最終的にバルブデバイスがアクセスポートから脱着される、要素と、アクセスポートからバルブデバイスが脱着された後でバルブデバイスを保持し、その結果、要素によってバルブデバイスがアクセスポートから脱着された後でバルブデバイスが取り外しツールに固定されるように構成された固定クリップと、を備える。好適には、取り外しツールが、取り外しツールの保持キャビティ内でバルブデバイスが固定された後でバルブデバイスを解放することができないように、設計される。取り外しツールのこの構成の利点は、取り外されたバルブがアクセスポートまたは任意の他のアクセスポート内で再び使用され得ないことである。
【００２０】
好適には、固定クリップが、固定部材のところでバルブデバイスを保持することができるように構成される。
【００２１】
固定クリップは、取り外しツールをバルブデバイスの方に前進させることにより要素を使用して固定部材を離すように移動させることで、固定部材が固定クリップ内でクリップ留めされるように移動するように配置されてよく、その結果、固定クリップがその固定部材のところでバルブデバイスを保持する。
【００２２】
固定クリップが、好適には、互いに反対側に配置された第１および第２の部材を備える。
【００２３】
第１および第２の部材の各々が、バルブデバイスを保持することを目的として、バルブデバイスのそれぞれの固定部材上に設けられた隆起部と機械的に協働することができる突出部を備えることができる。突出部が摩擦によりそれぞれの隆起部と機械的に協働することができる。突出部はＣ形であってよい。これにより、固定部材が第１および第２の部材のそれぞれの中にスナップ嵌合されることが可能となる。例えば、バルブデバイスの各固定部材上の隆起部が突出部を備える場合、この突出部がＣ形の突出部内にスナップ留めさることが可能であり、その結果、バルブデバイスが固定クリップ内で保持される。
【００２４】
第１の部材と第２の部材との間の距離は、取り外しツールをバルブデバイスの方に前進させることにより要素を使用して固定部材を離すように移動させることで、第１の固定部材が、第１の部材上の突出部を、第１の固定部材上に設けられた隆起部と機械的に協働させるように、移動させられ、第２の固定部材が、第２の部材上の突出部を、第２の固定部材上に設けられた隆起部と機械的に協働させるように、移動させられ、その結果、固定クリップがその固定部材のところでバルブデバイスを保持するような距離であってよい。
【００２５】
第１および第２の部材の各々が、テーパ部材と、テーパ部材の端部のところに設けられた上記突出部と、を備えることができる。各テーパ部材は、その最も幅広の端部のところで取り外しツールに取り付けられることが可能であり、テーパ部材の端部の最も幅の狭い端部は自由端部であってよく、突出部はテーパ部材の最も幅の狭い端部のところに位置してよい。
【００２６】
少なくとも２つの要素が取り外しツール上で互いに反対側に配置され得る。
【００２７】
これらの要素の外側表面の間の距離は、第１の固定部材上に設けられたリムの表面とバルブデバイスの第２の固定部材上に設けられたリムの表面との間の最も短い距離に等しくてよい。
【００２８】
２つの要素の各々が突出部であってよい。好適には、２つの要素の各々が、取り外しツールのボディから突出する突出部である。少なくとも２つの要素の各々がテーパ状の突出部であってよい。好適には、各テーパ状の突出部の長い側がそれぞれの固定部材上のリムの上記表面に当接され得る。
【００２９】
取り外しツールが、要素の各々を構造的に支持する補強部材をさらに備えることができる。
【００３０】
取り外しツールがハンドル部分をさらに備える。補強部材が要素の各々をハンドル部分に取り付けることができる。
【００３１】
取り外しツールが、固定クリップによって保持されるバルブデバイスに摩擦係合可能な少なくとも２つの突出するプラットフォームをさらに備えることができる。突出するプットフォームは、バルブデバイスが確実に取り外しツールにより強固に固定されるようにする。加えて、突出するプラットフォームは、アクセスポートからバルブデバイスが取り外されるときにバルブデバイスを取り外しツール内の所定の位置に配置するのを容易にする。
【００３２】
好適には、突出するプラットフォームの各々がノジュールをさらに備え、これらのノジュールが、バルブデバイスが確実に取り外しツールにより強固に固定されるようにする。ノジュールが、それぞれの突出するプラットフォームと、固定クリップによって保持されるバルブデバイスとの間の摩擦を増大させる。
【００３３】
好適には、取り外しツールが単一の成形構造によって画定される。
【００３４】
好適には、取り外しツールが単一の有色材料（例えば、赤）を含む。好適には、取り外しツールが単一の有色材料（赤または他の色）から構成される。単一の有色材料は、取り外しツールが１回のみ使用されて使用の直後に捨てられることを意図することを示すのに有用となり得る。
【００３５】
取り外しツールが２つの対の要素を備えることができ、各対の部材が取り外しツール上で互いに反対側に配置される。これらの要素は、一方の対の要素の外側表面の間の距離が、バルブデバイスの一対の固定部材の一方側に設けられたリムの上記表面の間の最も短い距離に等しくなり、もう一方の対の要素の外側表面の間の距離が、バルブデバイスの上記対の固定部材の反対側に設けられたリムの上記表面の間の最も短い距離に等しくなるように構成され得る。したがって、４つの要素が設けられることになり、第１の要素が第１の固定部材の一方側のところに設けられたリムの上記表面に当接されるように構成され得、第２の要素が第１の固定部材の反対側のところに設けられたリムの上記表面に当接されるように構成され得、第３の要素が第２の固定部材の一方側のところに設けられたリムの上記表面に当接されるように構成され得、第４の要素が第２の固定部材の反対側のところに設けられたリムの上記表面に当接されるように構成され得る。第１および第３の要素が第１の対の要素を画定し、第２および第４の要素が第２の対の要素を画定する。
【００３６】
本発明の別の態様によれば、上で言及したバルブデバイスのうちの任意の１つによるバルブデバイスをアクセスポート内に設置するための設置ツールが提供され、この設置ツールが、バルブデバイスを受け入れるのに適した、設置ツールのボディ内に画定されるキャビティと、バルブデバイスの固定部材を離すように湾曲させるときにのみキャビティ内に配置された固定部材をクリップ留めし、それにより、固定部材を離すように湾曲させるときにのみキャビティ内でバルブデバイスを保持することができる保持クリップと、を備える。
【００３７】
アクセスポート上に設置されることになるバルブデバイスは、使用前に設置ツールのキャビティの中に配置され得る。バルブデバイスは、着脱自在に固定されることになるアクセスポート上の位置まで送られる。固定部材が、好適には、バルブデバイスをアクセスポートに着脱自在に固定するためにアクセスポート上にスナップ嵌合されるように設計される。これは、固定部材上の突出部がアクセスポート上の保持リップの上に押し込まれるときに固定部材が湾曲することによるものである。固定部材上の突出部がアクセスポート上の保持リップの上に押し込まれると、固定部材上の突出部がアクセスポート上に設けられた対応する凹部内に受け入れられ、その湾曲位置から反動し、それによりバルブデバイスをアクセスポートにスナップ嵌合する。したがって、使用者がバルブデバイスをアクセスポート上の定位置まで押すとき、固定部材が離れるように湾曲する。固定部材が離れるように湾曲すると、固定部材が設置ツールの保持クリップの中へクリップ留めされる。この時点で、保持クリップが、固定部材が反動するようになるまで、バルブデバイスがツールから取り外されるのを防止することになる。バルブデバイスがアクセスポート上の定位置まで押されると、固定部材上の突出部がアクセスポート上のそれぞれの凹部内に受け入れられることで、固定部材が反動するようになる（その結果、固定部材が離れるように湾曲しなくなる）。固定部材が反動してアクセスポート上のそれぞれの凹部内に正確に配置されてその結果としてバルブデバイスがアクセスポートに適切に固定されるときのみ、固定部材が保持クリップから解放されるようになり、その結果、バルブデバイスが設置ツールのキャビティ内で保持されなくなる。したがって、設置ツールが安全に取り外され得、バルブデバイスをアクセスポートに着脱自在に固定したままにしておく。
【００３８】
好適には、保持クリップが、固定部材がそれらの湾曲位置から反動するときに、固定部材を解放するように構成される。
【００３９】
保持クリップが、好適には、キャビティの反対側に位置する第１および第２の部材を備える。
【００４０】
好適には、第１および第２の部材が、各々がバルブデバイスの固定部材を握持することができるように構成され、その結果、固定部材が保持クリップ内でクリップ留めされる。第１および第２の部材の各々がバルブデバイスの固定部材を握持するとき、固定部材が保持クリップ内でクリップ留めされたとみなされる。
【００４１】
好適には、第１の部材と第２の部材との間の距離は、固定部材が離れるように湾曲するときにのみ固定部材が保持クリップ内でクリップ留めされるような距離である。好適には、第１の部材と第２の部材との間の距離は、バルブデバイスが着脱自在に固定されることになるアクセスポート上の位置までバルブデバイスが押されることで第１の固定部材が湾曲するときに、第１の部材上の上記突出部が第１の固定上に設けられた隆起部を握持することができ、また、バルブデバイスが着脱自在に固定されることになるアクセスポート上の位置までバルブデバイスが押されることで第２の固定部材が湾曲するときに、第２の部材上の上記突出部が第２の固定部材上に設けられた隆起部を握持することができ、その結果、バルブデバイスが着脱自在に固定されることになるアクセスポート上の位置までバルブデバイスが押されることで固定部材が離れるように湾曲するときに、保持クリップがバルブデバイスを固定的に保持するようになるような距離である。
【００４２】
バルブデバイスがアクセスポートの定位置まで移動すると、固定部材が湾曲位置から後退し、その結果、バルブデバイスがアクセスポートに着脱自在に固定される。これにより、固定部材が反動するときに固定部材が保持クリップから確実に解放されるようになり（つまり、抜き取られる（ｕｎｄｉｐｐｅｄ））、その結果、バルブデバイスが設置ツールから解放される。固定部材上の突出部がアクセスポート上の保持リップ上を摺動して、アクセスポート上に設けられた対応する凹部内に受け入れられると、固定部材が反動し、それによりそれらの湾曲位置から反動し、それによりバルブデバイスをアクセスポートにスナップ嵌合する。この構成の利点は、バルブデバイスがアクセスポート上で正確に配置されておらず、または、アクセスポートに正確に固定されていない限りにおいては（例えば、１つの固定部材のみがアクセスポートの一方側のみのそれぞれの凹部内でクリップ留めされている）、保持クリップの突出部が設置ツールからバルブデバイスを解放しない。
【００４３】
第１の部材および第２の部材の各々が、テーパ部材と、テーパ部材の端部のところに設けられた上記突出部と、を備えることができる。各テーパ部材は、その最も幅広の端部のところで取り外しツールに取り付けられることが可能であり、テーパ部材の最も幅の狭い端部は自由端部であり、突出部はテーパ部材の最も幅の狭い端部のところに位置する。
【００４４】
設置ツールが、バルブデバイスをキャビティ内で保持する１つまたは複数の突出するプラットフォームをさらに備えることができる。好適には、１つまたは複数の突出するプラットフォームが、キャビティ内の所定の位置でバルブデバイスを保持する。
【００４５】
好適には、１つまたは複数の突出するプラットフォームが、キャビティ内のバルブデバイスと各突出するプラットフォームとの間の摩擦を増大させる１つまたは複数のノジュールを備え、その結果、バルブデバイスがキャビティ内でより強固に保持されることになる。
【００４６】
好適には、設置ツールが単一の成形構造によって画定される。
【００４７】
設置ツールが透明材料を含むことができるか、または、透明材料から構成される。好適には、設置ツールが有色材料から構成され、その色が、可能性として、「注意：再使用しないこと！」などの規則に対応する。
【００４８】
本発明の別の態様によれば、上で言及した設置ツールのうちの任意の１つによる設置ツールと、設置ツールのキャビティ内で保持される、上で言及したバルブデバイスのうちの任意の１つによるバルブデバイスと、を備える組立体が提供される。
【００４９】
次に、単に例として以下の図を参照して本発明を説明する。
【図面の簡単な説明】
【００５０】
【図１】本発明の態様によるバルブデバイスを示す斜視図である。
【図２】本発明の別の態様による取り外しツールを示す斜視図である。
【図３】アクセスポートから脱着された後の、図１のバルブデバイスが取り外しツールに固定されている状態の図２の取り外しツールを示す斜視図である。
【図４】本発明の別の態様による設置ツールを示す斜視図である。
【図５】図１のバルブデバイスが設置ツールのキャビティ内で保持されている状態の、図４の設置ツールを示す斜視図である。
【発明を実施するための形態】
【００５１】
図１は、本発明の第１の態様によるバルブデバイス１の斜視図を示す。バルブデバイス１は、特許文献１に記載されるアクセスポートなどのアクセスポートに着脱自在に固定されるのに適している。特許文献１に開示されるアクセスポートは、患者から流体を取り除くのにおよび／または患者へ流体を戻すのに使用される。
【００５２】
バルブデバイス１は、開構成または閉構成のいずれにもなるように選択的に動作可能である２つのバルブ４ａ、４ｂ（図１ではスリットバルブとして示される）を備える。２つのバルブ４ａ、４ｂがバルブデバイス１のハウジング２内に収容される。使用中、バルブデバイスの第１のバルブ４ａが、流体を患者まで運搬することができる第１の導管に接続され得、バルブデバイス１の第２のバルブ４ｂが、患者から流体を運搬することができる第２の導管に接続され得る。バルブ４ａ、４ｂが開構成にあるとき、バルブ４ａ、４ｂがアクセスポートと患者との間を流体連通させるのを可能にする。バルブ４ａ、４ｂが閉構成にあるとき、バルブ４ａ、４ｂがアクセスポートと患者との間の流体連通を遮断し、さらに空気吸入（外側から内側）を防止することができる。
【００５３】
バルブデバイス１が、第１の固定部材３ａおよび第２の固定部材３ｂを備えるクリップ３を備える。各固定部材３ａ、３ｂが、ハウジング２に固定される第１の端部５ａと、第２の自由端部５ｂとを有する。固定部材３ａ、３ｂがバルブデバイス１上で対称に構成され、したがって、第１の固定部材３ａおよび第２の固定部材３ｂがハウジング２の両側に配置される。
【００５４】
固定部材３ａ、３ｂが、バルブデバイス１をアクセスポートに着脱自在に固定するためにアクセスポートと機械的に協働するように構成可能である。この例では、固定部材３ａ、３ｂが、バルブデバイスをアクセスポートに着脱自在に固定するためにアクセスポート上にスナップ嵌合され得るように構成される。すなわち、固定部材３ａ、３ｂの各々がその第２の端部５ｂのところに位置する突出部６を備え、突出部６はアクセスポート内に設けられた対応する凹部内に受け入れられることが可能であり、各固定部材３ａ、３ｂは、ハウジング２から離れる方向に固定部材３ａ、３ｂの各々が湾曲するのを可能にする可撓性材料を含んでいる。固定部材３ａ、３ｂの可撓性材料および突出部６が、バルブデバイスをアクセスポートに着脱自在に固定するためにバルブデバイスをアクセスポート上にスナップ嵌合するのを可能にする。バルブデバイス１を着脱自在に固定するために、固定部材３ａ、３ｂが、アクセスポート上に設けられた保持リップ上で突出部６が摺動するのを可能にするように湾曲し、突出部６が保持リップ上を摺動すると、湾曲した固定部材３ａ、３ｂが反動し、その結果、突出部６がアクセスポート上の対応する凹部内に受け入れられ、その結果、バルブデバイス１がスナップ嵌合されてアクセスポートに着脱自在に固定される。
【００５５】
固定部材３ａ、３ｂの各々は隆起部７を備え、ツールのクリップはこの隆起部７と機械的に協働することができ、その結果、ツールが固定部材３ａ、３ｂのところでバルブデバイスを保持することができる。後でより詳細に考察されるように、ツールのクリップの部材は、固定部材３ａ、３ｂのところでバルブデバイス１を保持するために、隆起部７に当接されることにより、それぞれの各固定部材３ａ、３ｂ上の隆起部７と機械的に協働することができる。各隆起部７は、ハウジング２から離れる方向にそれぞれの固定部材３ａ、３ｂが湾曲させられたときにのみツールのクリップ部材と機械的に協働することができるように、配置される。代替的実施形態では、固定部材３ａ、３ｂをツールのクリップ内にスナップ嵌合するのを可能にするために各固定部材３ａ、３ｂの隆起部７上に細長い突出部が設けられてもよく、その結果、ツールのクリップが固定部材３ａ、３ｂのところでバルブデバイス１を保持することができるようになる。
【００５６】
固定部材３ａ、３ｂの各々が、固定部材３ａ、３ｂの第１の端部５ａから固定部材３ａ、３ｂの第２の端部５ｂへ向かう方向においてハウジング２の方を向く方向に向きを変える表面９を有するリム８を備える。各固定部材３ａ、３ｂ上のリム８は、それぞれの固定部材３ａ、３ｂ上の突出部６が突出する方向に対して上記表面９を実質的に垂直になるように構成される。各リム８が、それぞれの固定部材３ａ、３ｂ上に設けられた細長い突出部によって画定される。各リム８の厚さが、固定部材３ａ、３ｂの第１の端部５ａから固定部材３ａ、３ｂの第２の端部５ｂへ向かう方向において固定部材３ａ、３ｂに沿って増大し、その結果、リム８の厚さが、突出部６を備える固定部材の第２の端部５ｂのところで最大となる。
【００５７】
図１は各固定部材３ａ、３ｂの第１の側１３ａにリム８が設けられていることを示すが、第２のリム８は各固定部材３ａ、３ｂの第２の反対側１３ｂに設けられてもよいことを理解されたい。また、各固定部材３ａ、３ｂの第２の反対側１３ｂに設けられたリム８の各々は、固定部材３ａ、３ｂの第１の端部５ａから固定部材３ａ、３ｂの第２の端部５ｂへ向かう方向においてバルブデバイス１のハウジング２の方を向く方向に向きを変える表面９をそれぞれ備える。
【００５８】
使用中、固定された要素を備える取り外しツールが（ここでは、これらの要素の間の距離が、リム８の上記表面９の間の最大距離に等しい）、取り外しツール１０の要素をそれぞれの固定要素３ａ、３ｂのリムの表面９に当接させるように、配置される。取り外しツール１０がバルブデバイス１の方に前進させられ、その結果、これらの要素が、それぞれの固定要素３ａ、３ｂのリムの表面９に沿って、固定要素の第１の端部５ａから固定要素３ａ、３ｂの第２の端部５ｂまで、摺動する。取り外しツール１０の要素が固定されており、さらには各リム８の表面９がバルブデバイス１のハウジング２の方に向きを変えることから、これらの要素がそれぞれの固定要素３ａ、３ｂのリムの表面９に沿って摺動するとき、固定要素３ａ、３ｂを離すように押すことになり、その結果、固定要素がバルブデバイス１のハウジング２から離れる方向に湾曲することになる。固定要素３ａ、３ｂがハウジング２から離れるように湾曲するとき、固定要素３ａ、３ｂがアクセスポート上の対応する凹部から外され得、その結果、バルブデバイス１がアクセスポートに固定されなくなる。加えて、ハウジングから離れる方向に湾曲するとき、各固定要素３ａ、３ｂ上の隆起部７が取り外しツール１０内のクリップの部材と機械的に協働し、その結果、クリップの部材が摩擦により固定部材３ａ、３ｂのところでバルブデバイス１を保持する。したがって、バルブデバイス１がアクセスポートから取り外され、取り外しツールによって保持される。
【００５９】
使用中、設置ツール２０が図１に示されるバルブデバイス１と協働することができ、バルブデバイス１をアクセスポート上に設置するのに使用され得る。後でより詳細に考察されるように、各固定要素３ａ、３ｂ上の隆起部７が設置ツール２０内のクリップの部材と機械的に協働することができ、その結果、バルブデバイス１がアクセスポート上の定位置にスナップ嵌合されてアクセスポートに着脱自在に固定されることで、バルブデバイス１の固定部材３ａ、３ｂが湾曲するときにのみ、クリップの部材が固定部材３ａ、３ｂのところでバルブデバイス１を保持する。
【００６０】
図２は、本発明の別の態様による取り外しツール１０の斜視図を示す。取り外しツール１０は、アクセスポートに着脱自在に固定される図１に示されるバルブデバイス１をアクセスポートから取り外すのに適している。取り外しツール１０が単一の成形構造によって画定される。取り外しツール１０が透明材料から成型され、その結果、取り外しツール１０がシースルーになる。
【００６１】
取り外しツール１０が２つの要素１１ａ、１１ｂを備え、これらの２つの要素１１ａ、１１ｂの各々が、バルブデバイス１のそれぞれの固定部材３ａ、３ｂ上に設けられたリム８の上記表面９に当接されるように構成され得る。要素１１ａ、１１ｂが取り外しツール１０内で固定され（好適には、これらの要素が取り外しツール１０のボディ１４を基準として不動である）、その結果、取り外しツール１０がバルブデバイス１の方に前進するときに、それぞれの固定部材３ａ、３ｂ上に設けられたリム８の上記表面９に当接される要素１１ａ、１１ｂの各々が上記表面９に沿って移動するようになる。取り外しツール１０の要素１１ａ、１１ｂが固定されており、さらには各リム８の表面９がバルブデバイス１のハウジング２の方に向きを変えることから、これらの要素１１ａ、１１ｂがそれぞれの固定要素３ａ、３ｂのリムの表面９に沿って摺動するとき、固定要素３ａ、３ｂを離すように押すことになり、その結果、バルブデバイス１の固定要素３ａ、３ｂがバルブデバイス１のハウジング２から離れる方向に湾曲させられ、その結果、固定部材３ａ、３ｂ上の突出部６がアクセスポート上のそれぞれの凹部から出るように移動させられ、バルブデバイス１がアクセスポートから脱着された状態になる。
【００６２】
各要素１１ａ、１１ｂが、取り外しツール１０のボディ１４から突出するテーパ状の突出部によって画定される。好適には、各テーパ状の突出部の長い側１５がそれぞれの固定部材３ａ、３ｂ上のリム８の上記表面９に当接され得る。
【００６３】
２つの要素１１ａ、１１ｂが取り外しツール１０上で互いに反対側に配置される。要素１１ａ、１１ｂの外側表面１６の間の距離は、製造プロセスおよび使用される材料の公差ばらつきを考慮に入れて、第１の固定部材３ｂ上に設けられたリム８の表面９と第２の固定部材３ｂ上に設けられたリム８の表面９との間の最も短い距離より大きい。
【００６４】
取り外しツール１０がハンドル部分１７をさらに備え、使用者がハンドル部分１７を用いて取り外しツール１０を保持することができる。取り外しツール１０をバルブデバイス１の方に前進させるとき、使用者がハンドル部分１７のところで取り外しツール１０を保持する。ハンドル部分が突起部１８を装備し、突起部１８が、取り外しツール１０を握持することを改善するのを可能にし得る。補強部材１９ａ、１９ｂが要素１１ａ、１１ｂの各々をハンドル部分１７にそれぞれ取り付け、その結果、補強部材１９ａ、１９ｂおよびハンドル部分１７が要素１１ａ、１１ｂの各々を構造的に支持することができる。
【００６５】
取り外しツール１０が、アクセスポートから脱着された後でバルブデバイス１を保持するように構成された固定クリップ１２をさらに備え、その結果、要素１１ａ、１１ｂによりバルブデバイス１がアクセスポートから脱着された後でバルブデバイスが取り外しツール１０に固定される。固定クリップ１２が、固定部材のところでバルブデバイスを保持することができるように構成される。
【００６６】
固定クリップ１２が、取り外しツール１０上で互いに反対側に配置された第１の部材１２ａおよび第２の部材１２ｂを備える。第１の部材１２ａおよび第２の部材１２ｂの各々が、バルブデバイス１を保持するために、バルブデバイス１のそれぞれの固定部材３ａ、３ｂ上に設けられた隆起部７と機械的に協働することができる突出部３１を備える。各突出部３１がそれぞれの隆起部７と機械的に協働することができる。実施形態の変形形態では、突出部はＣ形であってよく、これにより、それらのそれぞれの隆起部上に設けられた細長い突出部を有する固定部材が、それぞれの第１の部材１２ａおよび第２の部材１２ｂにスナップ嵌合され、その結果、バルブデバイス１が固定クリップ１２内で保持される。
【００６７】
第１の部材１２ａおよび第２の部材１２ｂの各々がテーパ部材３２を備え、上記突出部３１がテーパ部材の端部３３のところに設けられる。各テーパ部材がその最も幅広の端部３４のところで取り外しツール１０のボディ１４に取り付けられ、テーパ部材の最も幅の狭い端部３３が自由端部であり、突出部３１がテーパ部材３２の最も幅の狭い端部３３のところに位置する。
【００６８】
第１の部材１２ａと第２の部材１２ｂとの間の距離は、取り外しツール１０をバルブデバイス１の方に前進させることにより取り外しツール１０の要素１１ａ、１１ｂを使用してバルブデバイス１の固定部材３ａ、３ｂを離すように移動させることで、第１の固定部材３ａが、第１の部材１２ａ上の突出部３１を、第１の固定部材３ａ上に設けられた隆起部７と機械的に協働させるように、移動させられ、第２の固定部材３ｂが、第２の部材１２ｂ上の突出部３１を、第２の固定部材３ｂ上に設けられた隆起部７と機械的に協働させるように、移動させられ、その結果、固定クリップ１２がその固定部材３ａ、３ｂのところでバルブデバイス１を保持するような距離である。各部材１２ａ、１２ｂ上の突出部３１がそれぞれの隆起部７と機械的に協働する。したがって、固定クリップ１２は、取り外しツールをバルブデバイス１の方に前進させることにより取り外しツール１０の要素１１ａ、１１ｂを使用してバルブデバイスの固定部材３ａ、３ｂを離すように移動させることで、固定部材３ａ、３ｂが移動させられて取り外しツール１０の固定クリップ１２内にクリップ留めされ、その結果、固定クリップ１２がその固定部材３ａ、３ｂのところでバルブデバイス１２を保持するように配置および構成される。
【００６９】
取り外しツール１０が、バルブデバイス１に摩擦係合可能な少なくとも２つの突出するプラットフォーム３５ａ、３５ｂをさらに備える。突出するプラットフォーム３５ａ、３５ｂの各々が、それぞれの突出するプラットフォームとバルブデバイスとの間の摩擦を増大させるノジュール３６をさらに備える。バルブデバイス１が、それぞれの突出するプラットフォームとバルブデバイス１との間の摩擦をさらに増大させるためにノジュール３６と協働するように構成された切欠部３７をさらに備えることができる。突出するプラットフォーム３５ａ、３５ｂおよびノジュール３６が、取り外しツール１０にバルブデバイス１が確実により強固に固定されるようにする。具体的には、突出するプラットフォーム３５ａ、３５ｂおよびノジュール３６が、アクセスポートからバルブデバイス１が脱着される前に取り外しツール１０内でバルブデバイス１を保持することができる。加えて、突出するプラットフォーム３５ａ、３５ｂが、アクセスポートからバルブデバイス１が取り外されるときにバルブデバイス１を取り外しツール１０内の所定の位置に配置するのを容易にする。
【００７０】
使用中、取り外しツール１０が、各々の上記固定部材３ａ、３ｂの第１の端部５ａのところで２つの要素１１ａ、１１ｂの各々をそれぞれの固定部材３ａ、３ｂのリム８の上記表面９に当接させるように構成される。使用者がハンドル部分１７のところで取り外しツール１０を保持し、バルブデバイス１の方に取り外しツール１０を前進させ、バルブデバイス１がアクセスポートに着脱自在に固定される。ノジュール３６を可能性として備える突出するプラットフォーム３５ａ、３５ｂの各々が、ノジュール３６と摩擦協働する切欠部３７を可能性として備える、バルブデバイス１のハウジング２に摩擦的に係合される。突出するプラットフォーム３５ａ、３５ｂが、バルブデバイス１を取り外しツール１０内に正確に配置するのをさらに容易にすることができる。取り外しツール１０がバルブデバイス１の方にさらに前進するとき、要素１１ａ、１１ｂの各々が、それらが当接されているリム８のそれぞれの表面９に沿って摺動する。各リム８の上記表面９がバルブデバイス１のハウジング２の方に向きを変えること、さらには要素１１ａ、１１ｂが取り外しツールに固定されていることから、取り外しツール１０がバルブデバイス１の方に前進するとき、バルブデバイス上の固定部材３ａ、３ｂが要素１１ａ、１１ｂにより離れるように移動する。固定部材３ａ、３ｂが離れるように移動するとき、各々の固定部材３ａ、３ｂ上の突出部６がアクセスポート内のそれらのそれぞれの凹部から取り外され、その結果、バルブデバイス１がアクセスポートに着脱自在に固定されなくなる。
【００７１】
バルブデバイス上の固定部材３ａ、３ｂが取り外しツール１０上の要素１１ａ、１１ｂによって離れるように移動すると、固定クリップ１２の第１の部材１２ａおよび第２の部材１２ｂの各々の上の突出部３１がバルブデバイス１のそれぞれの固定部材３ａ、３ｂ上の隆起部７と機械的に協働し、固定部材３ａ、３ｂのところでバルブデバイス１を保持する。したがって、取り外しツール１０をバルブデバイス１の方に前進させることにより要素１１ａ、１１ｂによりバルブデバイス１がアクセスポートから脱着され、バルブデバイス１がアクセスポートから脱着された後、取り外しツール１０の固定クリップ１２の第１の部材１２ａおよび第２の部材１２ｂによって保持される。
【００７２】
バルブデバイス１０が固定クリップ１２の第１の部材１２ａおよび第２の部材１２ｂにより固定部材３ａ、３ｂのところで保持されると、バルブデバイス１が取り外しツール１０に固定される。バルブデバイス１が取り外しツール１０に固定された後、通常、使用者が取り外しツール１０およびバルブデバイス１を処分する。
【００７３】
図３は本発明の態様による組立体を示す。具体的には、図３は、アクセスポートから脱着された後の、図１のバルブデバイス１が取り外しツール１０に固定されている状態の図２の取り外しツール１０の斜視図を示す。図３では、取り外しツール１０がバルブデバイス１の方に前進しており、その結果、要素１１ａ、１１ｂの各々が、それぞれの固定部材３ａ、３ｂ上のリム８のそれぞれの表面９の全長に沿って、それぞれの固定部材３ａ、３ｂの第１の端部５ａからそれぞれの固定部材３ａ、３ｂの第２の端部５ｂまで摺動している。取り外しツール１０が、それぞれの各固定部材３ａ、３ｂの第２の端部５ｂのところに位置するリム８の最も厚い部分に要素１１ａ、１１ｂの各々を到達させるまで、バルブデバイス１の方に前進させられており、これにより、固定部材３ａ、３ｂが要素１１ａ、１１ｂにより最大距離だけ離れるように確実に移動されるようになる。バルブデバイス１上の固定部材３ａ、３ｂが要素１１ａ、１１ｂにより離れるように移動させられ、その結果、固定クリップ１２の第１の部材１２ａおよび第２の部材１２ｂ上の突出部３１がバルブデバイス１のそれぞれの固定部材３ａ、３ｂ上の隆起部７と機械的に協働し、固定部材３ａ、３ｂのところでバルブデバイス１を保持する。突出するプラットフォーム３５ａ、３５ｂ、および、突出するプラットフォーム３５ａ、３５ｂ上に設けられたノジュール３６により、取り外しツール１０内でバルブデバイスが確実により強固に保持されるようになり、加えて、突出するプラットフォーム３５ａ、３５により、取り外しツール１０内にバルブデバイス１を正確に配置することが容易になる。
【００７４】
取り外しツール１０が任意適切な数の要素１１ａ、１１ｂを備えることができることを理解されたい。例えば、図２に示される実施形態の別の変形形態では、取り外しツール１０が２つの対の要素を備えることができ、各対の要素が取り外しツール１０上で互いに反対側に配置される。これらの要素は好適には、一方の対の要素の外側表面の間の距離が、バルブデバイス１の一対の固定部材の一方側に設けられるリムの上記表面の間の最も短い距離に等しくなり、もう一方の対の要素の外側表面の間の距離が、バルブデバイス１の上記対の固定部材の反対側に設けられたリムの上記表面の間の最も短い距離に等しくなるように構成される。したがって、４つの要素が設けられることになり、第１の要素が第１の固定部材の一方側のところに設けられたリムの上記表面に当接されるように構成され得、第２の要素が第１の固定部材の反対側のところに設けられたリムの上記表面に当接されるように構成され得、第３の要素が第２の固定部材の一方側のところに設けられたリムの上記表面に当接されるように構成され得、第４の要素が第２の固定部材の反対側のところに設けられたリムの上記表面に当接されるように構成され得る。第１および第３の要素が第１の対の要素を画定し、第２および第４の要素が第２の対の要素を画定する。
【００７５】
図４は、本発明の別の態様による設置ツール２０の斜視図を示す。設置ツール２０が、図１に示されるバルブデバイス１をアクセスポート上に設置するのに適し、その結果、バルブデバイス１がアクセスポートに着脱自在に固定される。設置ツール２０が単一の成形構造によって画定される。設置ツール２０が透明材料から成型され、その結果、設置ツール２０がシースルーになる。好適には、設置ツールが有色材料から構成され、その色が、可能性として、「注意、再使用しないこと！」などの規則に対応する。
【００７６】
設置ツール２０がハンドル部分４１を備え、使用者がハンドル部分４１を用いて取り設置ツール２０を保持することができる。ハンドル部分４１が突起部４２をさらに装備し、突起部４２が、設置ツール２０を握持することを改善し得る。
【００７７】
設置ツール２０が、アクセスポート上に設置されることになる図１のバルブデバイス１を受け入れるのに適した、設置ツール２０のボディ４４内に画定されるキャビティ２１をさらに備える。
【００７８】
設置ツールが、バルブデバイス１の固定部材３ａ、３ｂを離すように湾曲させるときにのみキャビティ２１内に配置された固定部材３ａ、３ｂをクリップ留めすることができる保持クリップ２２をさらに装備する。したがって、保持クリップ２２が、固定部材３ａ、３ｂを離すように湾曲させるときにのみキャビティ２１内でバルブデバイスを保持する。好適には、保持クリップ２２が、固定部材３ａ、３ｂがそれらの湾曲位置から反動するときに、固定部材３ａ、３ｂを解放するように構成される。
【００７９】
保持クリップ２２が第１の部材２２ａおよび第２の部材２２ｂを備え、第１の部材２２ａおよび第２の部材２２ｂの各々がバルブデバイス１の固定部材３ａ、３ｂを握持することができ、その結果、固定部材３ａ、３ｂが保持クリップ１２内でクリップ留めされる。具体的には、第１の部材２２ａおよび第２の部材２２ｂの各々が、バルブデバイス１のそれぞれの固定部材３ａ、３ｂ上に設けられた隆起部７を握持することができる突出部４５を備える。第１の部材２２ａおよび第２の部材２２ｂの各々の上の突出部４５が固定部材３ａ、３ｂ上に設けられた隆起部７を握持するとき、固定部材３ａ、３ｂが保持クリップ２２内でクリップ留めされたとみなされる。
【００８０】
第１の部材２２ａおよび第２の部材２２ｂの各々がテーパ部材４７を備え、上記突出部４５がテーパ部材の端部４８のところに設けられる。各テーパ部材がその最も幅広の端部４９のところで取り外しツール２０のボディ４４に取り付けられ、各テーパ部材４７の最も幅の狭い端部４８が自由端部であり、突出部４５がテーパ部材４７の最も幅の狭い端部４８のところに位置する。
【００８１】
バルブデバイス１がスナップ嵌合されてアクセスポートに着脱自在に固定されるとき、固定部材３ａ、３ｂ上の突出部６がアクセスポート上に設けられた保持リップ上を摺動することで固定部材３ａ、３ｂが離れるように湾曲する。固定部材３ａ、３ｂ上の突出部６が保持リップ上を摺動してアクセスポート上の対応する凹部内に受け入れられてバルブデバイス１をアクセスポートに着脱自在に固定した後、固定部材３ａ、３ｂがそれらの湾曲位置から反動する。保持クリップ２２の第１の部材２２ａと第２の部材２２ｂとの間の距離は、第１の固定部材３ａ上の突出部６がアクセスポート上に設けられた保持リップの上を摺動することで第１の固定部材３ａが湾曲するときにのみ、第１の部材２２ａ上の上記突出部４５が第１の固定部材３ａ上に設けられた隆起部７を握持することができ、また、第２の固定部材３ａ上の突出部６がアクセスポートの上に設けられた保持リップの上を摺動することで第２の固定部材３ｂが湾曲するときにのみ、第２の部材２２ｂ上の上記突出部が第２の固定部材３ｂ上に設けられた隆起部７を握持することができるような距離である。これにより、着脱自在に固定されることになるアクセスポート上の位置までバルブデバイス１が押されることで固定部材３ａ、３ｂが離れるように湾曲するときにのみ、保持クリップ２２が確実にバルブデバイス１を保持するようになる。
【００８２】
保持クリップ２２の第１の部材２２ａおよび第２の部材２２ｂが、固定部材が反動するときにバルブデバイスの固定部材３ａ、３ｂが保持クリップ２２から解放されることになるように構成される。これは、保持クリップ２２の第１の部材２２ａおよび第２の部材２２ｂを適切な距離だけ分離することにより、達成され得る。固定部材３ａ、３ｂ上の突出部６が保持リップ上を摺動してアクセスポート上の対応する凹部内に受け入れられてバルブデバイス１をアクセスポートに着脱自在に固定した後、固定部材３ａ、３ｂがそれらの湾曲位置から反動する。したがって、バルブデバイス１がアクセスポートに着脱自在に固定されると、バルブデバイス１が設置ツール２０の保持クリップ２２から解放される（つまり、保持クリップ２２から抜き取られる）。
【００８３】
設置ツール２０がキャビティ２１の反対側に配置された２つの突出するプラットフォーム２３ａ、２３ｂをさらに備え、これらが、キャビティ２１内の所定の位置でバルブデバイス１を保持するのに使用される。各突出するプラットフォーム２３ａ、ｂが設置ツール２０のボディ４４に固定される。突出するプラットフォーム２３ａ、ｂの各々が、キャビティ２１内のバルブデバイス１と各突出するプラットフォーム２３ａ、ｂとの間の摩擦を増大させるノジュール５１を備え、その結果、バルブデバイス１がキャビティ２１内でより強固に保持される。同様に、バルブデバイス１が、それぞれの突出するプラットフォーム２３ａ、２３ｂとバルブデバイス１との間の摩擦をさらに増大させるために、ノジュール５１と協働するように構成された切欠部３７を備えることができる。
【００８４】
図５は本発明の別の態様による組立体を示す。具体的には、図５は、図１のバルブデバイスが設置ツール２０のキャビティ２１内で保持されている状態の、図４の設置ツール２０の斜視図を示す。突出するプラットフォーム２３ａ、２３ｂの各々の上のノジュール５１とバルブデバイス１との間の摩擦力が、設置ツール２０のキャビティ２１内でバルブデバイス１を保持する。図５に見られるように、バルブデバイス１の固定部材３ａ、３ｂが湾曲しておらず、したがって、保持クリップ２２の第１の部材２２ａおよび第２の部材２２ｂ上の突出部４５が、バルブデバイス１のそれぞれの固定部材３ａ、３ｂ上に設けられた隆起部７を握持しない。したがって、図５に示されるように、バルブデバイス１が保持クリップ２２内でクリップ留めされない。
【００８５】
使用中、アクセスポート上に設置されることになるバルブデバイス１が設置ツール２０のキャビティ２１内に配置されて図５に示される組立体を形成する。バルブデバイス１が、突出するプラットフォーム２３ａ、２３ｂの各々の上のモジュール５１によりキャビティ２１内で保持されることになる。
【００８６】
バルブデバイス１が設置ツール２０のキャビティ２１内で保持されている状態で、設置ツール２０が使用者によりハンドル部分４１のところで保持され、移動させられ、その結果、バルブデバイス１が、着脱自在に固定されることになるアクセスポート上の位置まで送られる。使用者が、設置ツール２０を使用して、アクセスポート上の定位置までバルブデバイス１を押す。バルブデバイス１上の固定部材３ａ、３ｂが、バルブデバイスをアクセスポートに着脱自在に固定するためにアクセスポート内にスナップ嵌合されるように設計され、したがって、固定部材３ａ、３ｂ上の突出部６がアクセスポート上に設けられた保持リップ上を摺動することで、バルブデバイス１として、固定部材３ａ、３ｂが離れるように湾曲する。固定部材３ａ、３ｂが離れるように湾曲すると、固定部材３ａ、３ｂが保持クリップ２２内にクリップ留めされる。具体的には、摩擦により、保持クリップ２２の第１の部材２２ａ上に設けられた突出部４５が、バルブデバイス１の第１の固定部材３ａ上に設けられた隆起部７を握持するようになり、また、保持クリップ２２の第２の部材２２ｂ上に設けられた突出部４５が、バルブデバイス１の第２の固定部材３ｂ上に設けられた隆起部７を握持するようになり、その結果、固定部材３ａ、３ｂが保持クリップ２２内でクリップ留めされることになる。この位置では、固定部材３ａ、３ｂが再び反動するようになるまで、保持クリップ２２の第１の部材２２ａおよび第２の部材２２ｂが、設置ツール２０のキャビティ２１からバルブデバイス１が取り外されるのを防止する。
【００８７】
固定部材３ａ、３ｂ上の突出部６がアクセスポート上の保持リップの上を摺動してアクセスポート上の対応する凹部内に受け入れられてバルブデバイス１をアクセスポートに着脱自在に固定した後（つまり、バルブデバイスがアクセスポート上のその位置に成功裏にスナップ嵌合されると）、固定部材３ａ、３ｂがそれらの湾曲位置から反動する。固定部材３ａ、３ｂの反動力が、保持クリップ２２の第１の部材２２ａおよび第２の部材２２ｂ上の突出部４５と第１の固定部材３ａおよび第２の固定部材３ｂのそれぞれの隆起部７との間の摩擦力より大きいことから、固定部材３ａ、３ｂがアクセスポート上の保持リップの上を摺動してアクセスポート上の対応する凹部内に受け入れられると、第１の固定部材３ａおよび第２の固定部材３ｂが保持クリップ２２から解放されることになる。したがって、アクセスポートに着脱自在に固定されることになるアクセスポート上の正確な位置までバルブデバイス１が移動すると、第１の固定部材３ａおよび第２の固定部材３ｂが保持クリップ２２から解放されることになる。したがって、バルブデバイス１がアクセスポート上の定位置まで押されると、保持クリップ２２が設置ツール２０のキャビティ２１内でバルブデバイス１を保持することになり、また、アクセスポートに着脱自在に固定されることになるアクセスポート上の定位置までバルブデバイス１が押されると、バルブデバイス１が保持クリップ２２から解放されることになる。
【００８８】
バルブデバイス１がアクセスポートに着脱自在に固定された状態で、使用者が設置ツール２０のハンドル部分４１を握持することができ、バルブデバイス１から設置ツール２０を引くことができる。アクセスポート上のそれぞれの凹部内に受け入れられた固定部材３ａ、３ｂ上の突出部６が、バルブデバイス１から設置ツール２０が引き離されるときにバルブデバイス１が設置ツール２０とともに移動するのを防止する。使用者によって加えられる引く力は、バルブデバイス１の突出部２３ａ、２３ｂ上のノジュール５１の間に存在する摩擦力に打ち勝つのに十分な大きさであるべきであり、その結果、設置ツール２０がバルブ１から分離され得るようになる。このようにして、アクセスポートに着脱自在に固定した状態でバルブデバイス１を残すような形で、設置ツール２０が取り外され得る。設置ツール２０は別のバルブデバイス１をそのアクセスポート／他のアクセスポートに設置するのに再使用され得る。
【００８９】
添付の特許請求の範囲で定義される本発明の範囲から逸脱することなく、本発明の説明される実施形態に対しての多様な修正形態および変形形態が当業者には明らかとなろう。特定の好適な実施形態に関連させて本発明を説明してきたが、特許請求される本発明がそのような特定の実施形態のみに不当に限定されるべきではないことを理解すべきである。
【符号の説明】
【００９０】
１  バルブデバイス
２  ハウジング
３  固定クリップ
３ａ、３ｂ  固定部材
４ａ、４ｂ  バルブ
５ａ  固定部材の第１の端部
５ｂ  固定部材の第２の端部
６  突出部
７  隆起部
８  リム
９  リムの表面
１０  取り外しツール
１１ａ、１１ｂ  要素
１２  固定クリップ
１２ａ  固定クリップの第１の部材
１２ｂ  固定クリップの第２の部材
１３ａ  第１の側
１３ｂ  第２の側
１４  ボディ
１５  各テーパ状の突出部の長い側
１６  要素の外側表面
１７  ハンドル部分
１８  突起部
１９ａ、１９ｂ  補強部材
２０  設置ツール
２１  キャビティ
２２  保持クリップ
２２ａ  保持クリップの第１の部材
２２ｂ  保持クリップの第２の部材
２３ａ、２３ｂ  突出するプラットフォーム
３１  突出部
３２  テーパ部材
３３  テーパ部材の最も幅の狭い端部
３４  テーパ部材の最も幅広の端部
３５ａ、３５ｂ  突出するプラットフォーム
３６  ノジュール
３７  ノジュール
４１  ハンドル部分
４２  突起部
４４  設置ツールのボディ
４５  突出部
４７  テーパ部材
４８  テーパ部材の最も幅の狭いところ
４９  テーパ部材の最も幅広の端部
５１  ノジュール
【図１】
0006494779.tif 000002
【図２】
0006494779.tif 000003
【図３】
0006494779.tif 000004
【図４】
0006494779.tif 000005
【図５】
0006494779.tif 000006